(57)【要約】      （修正有）【課題】線状食品または棒状食品を、正確に、簡便に計量でき、さらに粉塵やほこりやごみが付着しにくく、かつ洗浄が容易な台はかり用の計量補助具を提供する。【解決手段】計量補助具３０は、載置台に着脱される補助具基部３１と、該補助具基部３１の上部に乾麺類を抱持する抱持部３２、３３を設け、載置台を挿着できるように形成した挿着部３４、３５で形成される。【選択図】図１
0003155638.tif 000002
【実用新案登録請求の範囲】
【請求項１】
台はかりの被計量物が載置される載置台に被計量物として任意量の線状食品または棒状食品を計量するために用いる補助具であり、前記補助具は、前記載置台に着脱される補助具基部と、前記補助具基部の上部には前記線状食品または棒状食品を抱持する抱持部を少なくとも一つ備えることを特徴とする、台はかり用の計量補助具。
【請求項２】
前記補助具基部には、前記載置台と着脱可能になる手段が設けられることを特徴とする、請求項１に記載の台はかり用の計量補助具。
【請求項３】
前記抱持部が、前記補助具基部の一端部に棒状体を凹状に形成した棒状凹状体を少なくとも一つ以上設け、前記補助具基部の他端部に前記棒状凹状体を少なくとも一つ以上設けた、構造であることを特徴とする、請求項１または請求項２に記載の台はかり用の計量補助具。
【請求項４】
前記抱持部が、前記補助具基部の一端部に板体に凹状の切欠き部を形成した板体凹状体を少なくとも一つ以上設け、前記補助具基部の他端部に前記板体凹状体を少なくとも一つ以上設けた、構造であることを特徴とする、請求項１または請求項２に記載の台はかり用の計量補助具。
【請求項５】
前記抱持部が、前記補助具基部の上部の任意部位に断面が凹状の切欠き部または溝体を少なくとも一つ以上設けて成る成型体であることを特徴とする、請求項１または請求項２に記載の台はかり用の計量補助具。
【考案の詳細な説明】
【技術分野】
【０００１】  本考案は、台はかりの被計量物が載置される載置台に任意量のスパゲッテイ、うどん、そば、そうめん、ラーメン、はるさめ、などの公知の乾麺類等（線状食品または棒状食品）を計量するために用いる補助具に関するものである。
【背景技術】
【０００２】  従来より、外食産業などにおいては、スパゲッテイ、うどん、そば、そうめんラーメン、はるさめ、などの公知の乾麺類（線状食品または棒状食品）を調理する際には、お客の注文数量に応じて分量を計量したり、調理人がお客の年齢や性別や体格や嗜好などを考慮して計量したりすることが多く、その場合には、一般的な台はかりを用いたり、前記乾麺類（線状食品または棒状食品）を計量するための専用の計量手段を用いたりしている。【０００３】  例えば、一般的な台はかりは、被計量物が載置される載置台、被計量物が載置台に載置されると被計量物の荷重を検出する公知の荷重検出手段、この荷重検出手段からの被計量物の荷重データを表示する計量データ表示手段、などから構成されており、この計量データ表示手段がデジタル表示方式の場合とアナログ表示方式の場合とこれらの混合方式が存在することが知られている。例えば、アナログ表示方式の台はかりの場合の一例としては、図２に示すように、アナログ表示方式台はかり１０は、台はかり本体１１の内部には公知の荷重検出手段（図示せず、以下同）が設けられ、台はかり本体１１の正面に計量データ目盛板１２が設けられ、計量データ目盛板１２には台はかり本体１１の内部の荷重検出手段に接続される指針１３が設けられ、台はかり本体１１の内部の荷重検出手段には一つまたは二つの載置台支持棒１４の一端部が接続され、載置台支持棒１４の他端部は台はかり本体１１の上部に突出するように形成され、載置台支持棒１４の他端部と載置台１５の下部とが接続されることで、載置台１５の上部に被計量物を載置すると、台はかり本体１１の内部の荷重検出手段が指針１３を回動させ、使用者が台はかり本体１１の正面から指針１３が示した計量データを読み取るようになっている。【０００４】  また例えば、デジタル表示方式の台はかりの場合の一例としては、図３に示すように、デジタル表示方式台はかり２０は、台はかり本体２１の内部には公知の荷重検出手段（図示せず、以下同）が設けられ、台はかり本体２１の正面に計量データ表示部２２が設けられ、計量データ表示部２２には台はかり本体２１の内部の荷重検出手段に接続され、台はかり本体２１の内部の荷重検出手段には少なくとも一つの載置台支持部２３の一端部が接続され、載置台支持部２３の他端部は台はかり本体２１の上部に突出するように形成され、載置台支持部２３の他端部と載置台２４の下部とが接続されることで、載置台２４の上部に被計量物を載置すると、台はかり本体２１の内部の荷重検出手段が計量データを計量データ表示部２２に送出し表示させることで、使用者が台はかり本体２１の正面から計量データ表示部２２が示した計量データを読み取るようになっている。【０００５】  そこで、従来の、図２に示したようなアナログ表示方式台はかり１０、または図３に示したようなデジタル表示方式台はかり２０、を使用して、任意量の、スパゲッテイ、うどん、そば、そうめん、ラーメン、はるさめ、などの公知の乾麺類等（線状食品または棒状食品）を計量しようとすると、載置台１５や載置台２４の上に載置すると安定してないので、バラけたり、こぼれ落ちたりするために、計量作業が面倒であり、かつ計量効率が悪いという報告���受けている。【０００６】  したがって、図２に示したようなアナログ表示方式台はかり１０や図３に示したようなデジタル表示方式台はかり２０、を含む台はかり等を使用しないで、スパゲッテイ、うどん、そば、そうめん、ラーメン、はるさめ、などの公知の乾麺類等（線状食品または棒状食品）を簡便に計量するための専用の計量手段が開発されるようになってきた。
例えば、乾麺類を必要な人数分の量だけを計るときに、台秤や計量目盛を設けた孔や深溝の計量器などへ乾麺類を加えたり取り除いたりする、何回もの調整を行わずに一回で必要量を計ることが出来るようにすることを課題とし、その解決手段として、基台の上に、向かい合う一対の直立体を設け、その直立体の内側壁面に計量目盛となる突出片を設けた計量器が知られている。（特許文献１を参照する）
また例えば、主として多量に一括包装されたうどん、ひやむぎ、そうめん、スパゲッテイなどの線状をした乾麺を簡易・迅速に計量することができる簡易分量計の提供を課題とし、その解決手段として、１枚の板紙に設けた複数の折目に従って屈曲することによって、底板部と、該底板部を挟んで対向する位置に左右側壁部を立設可能に形成して、これら左右側壁部と底板部とから構成される断面凹形受け部を計量溝とし、該計量溝内に対して乾麺揃えて挿入配置することによって、所定量の乾麺を計量可能とする乾麺の簡易分量計が知られている。（特許文献２を参照する）
また例えば、熟練を必要とすることなく能率良く乾麺類を計量することができる、乾麺類の計量器の提供を課題とし、その解決手段として、一方の対向辺の内法が乾麺類の長さより長く上方が開いた箱体と、一方の対向辺と平行であって箱体の内側に他方の対向辺方向に並設され所定量の乾麺類を束ねた断面積にほぼ等しい断面積を持つ断面略Ｕ字状の複数の計量溝と、これら複数の計量溝の長手方向の一部を横断し計量溝の底より下方に位置する底板部と、箱体の他方の対向辺の少なくとも一方に設けられ底板部に臨む略Ｕ字状の切欠き部を備える、乾麺類の計量器が知られている。（特許文献３を参照する）【０００７】
【特許文献１】特開２００３−９０７０１号公報
【特許文献２】特開２００２−８４９９８号公報
【特許文献３】特開２００６−１０５７２６号公報
【考案の開示】
【考案が解決しようとする課題】
【０００８】  ところが、特許文献１の計量器では、基台の上に、向かい合う一対の直立体を設け、その直立体の内側壁面に計量目盛となる突出片を設けたことを特徴としているが、この計量器では、一定量を連続して計量する場合では問題はないと思われるが、例えば、１００ｇの乾麺類、９０ｇの乾麺類、１１０ｇの乾麺類、という不連続の計量には不向きな計量手段であると報告されている。また、この計量器は乾麺類を扱うために粉塵が付着したり、また食品を扱うために、定期的に洗浄したいところだが構造的に水洗いしにくい構造であるという指摘を受けている。
また、特許文献２の乾麺の簡易分量計では、１枚の板紙に設けた複数の折目に従って屈曲することによって、底板部と、該底板部を挟んで対向する位置に左右側壁部を立設可能に形成して、これら左右側壁部と底板部とから構成される断面凹形受け部を計量溝とし、該計量溝内に対して乾麺揃えて挿入配置することによって、所定量の乾麺を計量可能とすることを特徴としているが、この簡易分量計では、一定量を連続して計量する場合では問題はないと思われるが、例えば、１００ｇの乾麺、９０ｇの乾麺、１１０ｇの乾麺、という不連続の計量には不向きな計量手段であり、また、この簡易分量計は乾麺を扱うために粉塵が付着したり、また食品を扱うために、定期的に洗浄したいところだが板紙では水洗いしにくいという指摘を受けている。
また、特許文献３の乾麺類の計量器では、一方の対向辺の内法が乾麺類の長さより長く上方が開いた箱体と、一方の対向辺と平行であって箱体の内側に他方の対向辺方向に並設され所定量の乾麺類を束ねた断面積にほぼ等しい断面積を持つ断面略Ｕ字状の複数の計量溝と、これら複数の計量溝の長手方向の一部を横断し計量溝の底より下方に位置する底板部と、箱体の他方の対向辺の少なくとも一方に設けられ底板部に臨む略Ｕ字状の切欠き部を備えることを特徴としているが、計量溝に、粉塵やほこりやごみが溜りやすい構造になっており、清潔性を保持するのが容易ではないとか、例えば、１００ｇの乾麺類、９０ｇの乾麺類、１１０ｇの乾麺類、という不連続の計量には不向きな計量手段であるという指摘を受けている。【０００９】  上述したように、特許文献１または特許文献２または特許文献３に示したように、図２に示したようなアナログ表示方式台はかり１０や図３に示したようなデジタル表示方式台はかり２０、を含む台はかり等を使用しないで、乾燥させたスパゲッテイ、乾燥させたうどん、乾燥させたそば、乾燥させたそうめん等の線状食品または棒状食品を簡便に計量するための専用の計量手段が、従来技術では見当たらなかったのである。
そこで、本考案は、上述した問題点を解決し、一般的に用いられている台はかりを利用して、スパゲッテイ、うどん、そば、そうめん、ラーメン、はるさめ、などの公知の乾麺類等（線状食品または棒状食品）を計量できるようにした補助具であり、かつ任意の重量を正確に、しかも簡便に計量でき、さらに粉塵やほこりやごみが付着しにくい構造であり、洗浄しやすい構造であるため清潔性を保持するのが容易な台はかり用の計量補助具の提供を目的とする。
【課題を解決するための手段】
【００１０】  課題を解決するための第一の手段（請求項１の内容を含む）は、台はかりの被計量物が載置される載置台に被計量物として任意量の線状食品または棒状食品を計量するために用いる補助具であり、前記補助具は、前記載置台に着脱される補助具基部と、前記補助具基部の上部には前記線状食品または棒状食品を抱持する抱持部を少なくとも一つ備えることを特徴とする、台はかり用の計量補助具を提供することである。【００１１】  課題を解決するための第一の手段で示した台はかりに関しては、例えば、一般的な台はかりは、被計量物が載置される載置台、被計量物が載置台に載置されると被計量物の荷重を検出する荷重検出手段、荷重検出手段からの被計量物の荷重データを表示する計量データ表示手段、などから構成されており、この計量データ表示手段がデジタル表示方式の場合とアナログ表示方式の場合とこれらの混合方式が存在することが知られており、またこの荷重検出手段が機械式である場合と電子式である場合とこれらの混合方式が存在することが知られている。本考案ではこの台はかりに関しては、被計量物が載置される載置台を備えていればどんなタイプでも利用可能である。
課題を解決するための第一の手段で示した線状食品または棒状食品に関しては、スパゲッテイ、うどん、そば、そうめん、ひやむぎ、ラーメン、はるさめ、などの公知の乾麺類を挙げることが出来る。また前記線状食品または棒状食品に関しては、葱、牛蒡、長いも、きゅうり、ズッキーニ、ニラ、棒状に形成したスナック菓子類、サラミ、などの線状に形成した食品、棒状に形成した食品、または形状が不均一であり、歪んだり、不規則であっても、長尺物の食品であれば全て対象にしている。【００１２】  課題を解決するための第一の手段で示した抱持部に関しては、前記線状食品または棒状食品を抱持するように形成されていれば、とくに制限はなくどんな形状でも構わないものとする。【００１４】  課題を解決するための第二の手段（請求項２の内容を含む）は、前記補助具基部には、前記載置台と着脱可能になる手段が設けられることを特徴とする、請求項１（課題を解決するための第一の手段で示した内容を含む）に記載の台はかり用の計量補助具を提供することである。【００１５】  課題を解決するための第二の手段で示した前記載置台と着脱可能になる手段に関しては、前記載置台に前記補助具基部を載置できるように形成しても構わないが、好ましくは前記補助具基部に前記載置台に磁石または吸盤を用いた吸着力を介在できるようにした吸着具を設けたり、また好ましくは前記補助具基部に前記載置台の端部を挟着できるように形成した挟着具を設けたり、また好ましくは前記補助具基部に前記載置台の端部を挿着できるように形成した挿着具を設けたり、また好ましくは前記補助具基部に前記載置台の端部を締着できるように形成した締着具を設けたり、また好ましくは前記補助具基部に前記載置台の端部を螺着できるように形成した螺着具を設けたり、また好ましくは前記補助具基部に前記載置台の端部を嵌合できるように形成した嵌合具を設けたり、しても構わない。【００１６】  また、前記補助具基部は板体の形成体でも、ワイヤー体の形成体でも、良く、その材質は、金属でもプラスチックでも構わないが、金属であればステンレス材が好ましく、プラスチックであれば所望する強度と耐熱性を備えた材料の使用が好ましい。【００１８】  課題を解決するための第三の手段（請求項３の内容を含む）は、前記抱持部が、前記補助具基部の一端部に棒状体を凹状に形成した棒状凹状体を少なくとも一つ以上設け、前記補助具基部の他端部に前記棒状凹状体を少なくとも一つ以上設けた、構造であることを特徴とする、請求項１（課題を解決するための第一の手段で示した内容を含む）または請求項２（課題を解決するための第二の手段で示した内容を含む）に記載の台はかり用の計量補助具を提供することである。【００１９】  課題を解決するための第三の手段で示した棒状体に関しては、塑性加工が可能な線材やワイヤー体であれば金属でもプラスチックでも構わないが、金属であればステンレス材が好ましく、プラスチックであれば所望する強度と耐熱性を備えた材料の使用が好ましい。
課題を解決するための第三の手段で示した凹状に関しては、略Ｕ字状形、略Ｖ字状形、略Ｗ字状形、上向きに開いた略コの字状、上向きに開いた略半円形、上向きに開いた略半楕円形、上向きに開いた逆台形、などの中から選択して用いればよく、この形状により、前記線状食品または棒状食品を抱持することが可能になる。【００２０】  課題を解決するための第三の手段で示した前記棒状凹状体に関しては、前記補助具基部の一端部に設けた棒状凹状体と前記補助具基部の他端部に設けた棒状凹状体とは相似形であることが好ましい。例えば、前記補助具基部の一端部に設けた棒状凹状体が略Ｕ字状であれば前記補助具基部の他端部に設けた棒状凹状体も略Ｕ字状であることが好ましい。また例えば、前記補助具基部の一端部に設けられた前記棒状凹状体が一つであれば前記補助具基部の他端部に設けた棒状凹状体も一つであることが好ましく、前記補助具基部の一端部に設けられた前記棒状凹状体が二つであれば前記補助具基部の他端部に設けた棒状凹状体も二つであることが好ましく、前記補助具基部の一端部に設けられた前記棒状凹状体がｎ（１以上の自然数）個であれば前記補助具基部の他端部に設けた棒状凹状体もｎ（１以上の自然数）個であることが好ましい。また例えば、前記補助具基部の一端部に設けられた前記棒状凹状体がｎ（１以上の自然数）個で一列であれば前記補助具基部の他端部に設けた棒状凹状体もｎ（１以上の自然数）個で一列であることが好ましく、例えば、前記補助具基部の一端部に設けられた前記棒状凹状体がｎ＋１（１以上の自然数）個でｎ（１以上の自然数）列であれば前記補助具基部の他端部に設けた棒状凹状体もｎ＋１（１以上の自然数）個でｎ（１以上の自然数）列であることが好ましい。
上述した、前記補助具基部の一端部に設けた棒状凹状体と前記補助具基部の他端部に設けた棒状凹状体との関係により、前記線状食品または棒状食品を確実に安定して抱持することが可能になる。【００２２】  課題を解決するための第四の手段（請求項４の内容を含む）は、前記抱持部が、前記補助具基部の一端部に板体に凹状の切欠き部を形成した板体凹状体を少なくとも一つ以上設け、前記補助具基部の他端部に前記板体凹状体を少なくとも一つ以上設けた、構造であることを特徴とする、請求項１（課題を解決するための第一の手段で示した内容を含む）または請求項２（課題を解決するための第二の手段で示した内容を含む）に記載の台はかり用の計量補助具を提供することである。【００２３】  課題を解決するための第四の手段で示した板体に関しては、金属製でもプラスチック製でも構わないが、金属製であればステンレス材が好ましく、プラスチック製であれば所望する強度と耐熱性を備えた材料の使用が好ましい。
課題を解決するための第四の手段で示した前記板体に凹状の切欠き部を形成する手段に関しては、前記板体に所望する凹状になるよう切削装置を介して切削加工してもよいし、前記板体に所望する凹状になるように設計し加工した金型を用いたプレス装置を介してプレス加工してもよいし、プラスチック材料で所望する凹状になるように設計し加工した金型を用いた押し出し成型装置を介して押し出し成型してもよい。
課題を解決するための第四の手段で示した凹状に関しては、略Ｕ字状形、略Ｖ字状形、略Ｗ字状形、上向きに開いた略コの字状、上向きに開いた略半円形、上向きに開いた略半楕円形、上向きに開いた逆台形、などの中から選択して用いればよく、この形状により、前記線状食品または棒状食品を抱持することが可能になる。【００２４】  課題を解決するための第四の手段で示した前記板体凹状体に関しては、前記補助具基部の一端部に設けた板体凹状体と前記補助具基部の他端部に設けた板体凹状体とは相似形であることが好ましい。例えば、前記補助具基部の一端部に設けた板体凹状体の凹状切欠き部が略Ｕ字状であれば前記補助具基部の他端部に設けた板体凹状体の凹状切欠き部も略Ｕ字状であることが好ましい。また例えば、前記補助具基部の一端部に設けられた前記板体凹状体が一つであれば前記補助具基部の他端部に設けた板体凹状体も一つであることが好ましく、前記補助具基部の一端部に設けられた板体凹状体が二つであれば前記補助具基部の他端部に設けた板体凹状体も二つであることが好ましく、前記補助具基部の一端部に設けられた前記板体凹状体がｎ（１以上の自然数）個であれば前記補助具基部の他端部に設けた板体凹状体もｎ（１以上の自然数）個であることが好ましい。また例えば、前記補助具基部の一端部に設けられた前記板体凹状体がｎ（１以上の自然数）個で一列であれば前記補助具基部の他端部に設けた板体凹状体もｎ（１以上の自然数）個で一列であることが好ましく、例えば、前記補助具基部の一端部に設けられた前記板体凹状体がｎ＋１（１以上の自然数）個でｎ（１以上の自然数）列であれば前記補助具基部の他端部に設けた板体凹状体もｎ＋１（１以上の自然数）個でｎ（１以上の自然数）列であることが好ましい。
上述した、前記補助具基部の一端部に設けた板体凹状体と前記補助具基部の他端部に設けた板体凹状体との関係により、前記線状食品または棒状食品を確実に安定して抱持することが可能になる。【００２６】  課題を解決するための第五の手段（請求項５の内容を含む）は、前記抱持部が、前記補助具基部の上部の任意部位に断面が凹状の切欠き部または溝体を少なくとも一つ以上設けて成る成型体であることを特徴とする、請求項１（課題を解決するための第一の手段で示した内容を含む）または請求項２（課題を解決するための第二の手段で示した内容を含む）に記載の台はかり用の計量補助具を提供することである。【００２７】  課題を解決するための第五の手段で示した凹状に関しては、略Ｕ字状形、略Ｖ字状形、略Ｗ字状形、上向きに開いた略コの字状、上向きに開いた略半円形、上向きに開いた略半楕円形、上向きに開いた逆台形、などの中から選択して用いればよく、この形状により、前記線状食品または棒状食品を抱持することが可能になる。
課題を解決するための第五の手段で示した成型体に関しては、プラスチック材料の使用が好ましくこのプラスチック材料で断面が前記凹状の切欠き部または溝体を少なくとも一つ以上形成するように設計し加工した金型を用いた押し出し成型装置を介して押し出し成型してもよい。
【考案の効果】
【００２９】  本考案の利用者は、それまで利用者が使用していた一般的な台はかりに本考案の台はかり用の計量補助具を装着できることによって、被計量物として例えばスパゲッテイ、うどん、そば、そうめん、ひやむぎ、ラーメン、はるさめ、などの公知の乾麺類の任意の分量を安定性を保持しながら簡便に正確に計量できるようになり、さらに前記乾麺類の計量が終了して他の被計量物を計量する場合は、容易にこの計量補助具を取り外してこの台はかりを一般的な台はかりとして利用でき、本考案の利用者は、それまで所有していた台はかりの利用範囲が拡大するので、大いに満足することができる。【００３０】  本考案の利用者は、それまで利用者が使用していた一般的な台はかりに本考案の台はかり用の計量補助具を装着できることによって、被計量物として例えば葱、牛蒡、長いも、きゅうり、ズッキーニ、ニラ、棒状に形成したスナック菓子類、サラミ、などの線状に形成した食品、棒状に形成した食品、または形状が不均一であり、歪んだり、不規則な長尺物の食品の任意の分量を安定性を保持しながら簡便に正確に計量できるようになり、さらに前記長尺物食品の計量が終了して他の被計量物を計量する場合は、容易にこの計量補助具を取り外してこの台はかりを一般的な台はかりとして利用でき、本考案の利用者は、それまで所有していた台はかりの利用範囲が拡大するので、大いに満足することができる。【００３１】  上述した考案の効果に加えて、本考案の台はかり用の計量補助具は、粉塵やほこりやごみが付着しにくい構造であるが、たとえこの計量補助具が粉塵やほこりやごみが付着したり、本考案の利用者の清潔性を保持したい習慣のためや、使用時に汚れたりしても、いつでも容易に台はかりから取り外してこの計量補助具の洗浄を容易に行うことができ、その結果、清潔性を保持するのが容易な台はかり用の計量補助具の提供が可能になる。
【考案を実施するための最良の形態】
【００３３】  以下、本考案の台はかり用の計量補助具の実施の形態について、図１〜図３に基づいて説明する。図１は本考案の台はかり用の計量補助具の実施の形態例を示す斜視図である。図２は本考案の台はかり用の計量補助具の実施の形態例を示す概略説明図である。図３は本考案の台はかり用の計量補助具の実施の形態例を示す概略説明図である。【００３４】  図１から図３より、１０はアナログ表示方式台はかりであり、アナログ表示方式台はかり１０は、台はかり本体１１の内部には公知の荷重検出手段（図示せず、以下同）が設けられ、台はかり本体１１の正面に計量データ目盛板１２が設けられ、計量データ目盛板１２には台はかり本体１１の内部の荷重検出手段に接続される指針１３が設けられ、台はかり本体１１の内部の荷重検出手段には一つまたは二つの載置台支持棒１４の一端部が接続され、載置台支持棒１４の他端部は台はかり本体１１の上部に突出するように形成され、載置台支持棒１４の他端部と載置台１５の下部とが接続される。２０はデジタル表示方式台はかりであり、デジタル表示方式台はかり２０は、台はかり本体２１の内部には公知の荷重検出手段（図示せず、以下同）が設けられ、台はかり本体２１の正面に計量データ表示部２２が設けられ、計量データ表示部２２には台はかり本体２１の内部の荷重検出手段に接続され、台はかり本体２１の内部の荷重検出手段には少なくとも一つの載置台支持部２３の一端部が接続され、載置台支持部２３の他端部は台はかり本体２１の上部に突出するように形成され、載置台支持部２３の他端部と載置台２４の下部とが接続される。３０は本考案の台はかり用の計量補助具であり、計量補助具３０はアナログ表示方式台はかり１０またはデジタル表示方式台はかり２０に利用可能になるよう形成されている。Ｍは線状食品または棒状食品として乾麺類を選択している。【００３５】  次に図１から図３より、計量補助具３０は、載置台１５または載置台２４に着脱される補助具基部３１と、補助具基部３１の一端部の上部に設けた乾麺類Ｍを抱持する抱持部３２と、補助具基部３１の他端部の上部に設けた乾麺類Ｍを抱持する抱持部３３と、載置台１５または載置台２４と補助具基部３１が着脱可能になる手段として形成した、補助具基部３１の一端部に設け載置台１５の一端部または載置台２４の一端部を着脱可能に挿着できるように形成した挿着部３４と、補助具基部３１の他端部に設け載置台１５の他端部または載置台２４の他端部を着脱可能に挿着できるように形成した挿着部３５と、で形成されるものとする。補助具基部３１はステンレス製のワイヤー体を用いたので、補助具基部３１の一端部に挿着部３４を、補助具基部３１の他端部に挿着部３５を、容易に形成可能なので好ましい。すなわち、挿着部３４は補助具基部３１の一端部を載置台１５または載置台２４の一端部を摺動させながら差し込んだり取り外したりが可能なように形成させればよいし、挿着部３５は補助具基部３１の他端部を載置台１５または載置台２４の他端部を摺動させながら差し込んだり取り外したりが可能なように形成させればよいのである。抱持部３２に関しては、ステンレス製のワイヤー体を用いて略Ｕ字状形に形成することで棒状凹状体とし、この形状により乾麺類Ｍを抱持することが可能になり、図１の実施例では４体の棒状凹状体を補助具基部３１の一端部の上部に一列になるように連結しており、それぞれ抱持部３２ａ、抱持部３２ｂ、抱持部３２ｃ、抱持部３２ｄとする。抱持部３３に関しては、ステンレス製のワイヤー体を用いて略Ｕ字状形に形成することで棒状凹状体とし、この形状により乾麺類Ｍを抱持することが可能になり、図１の実施例では４体の棒状凹状体を補助具基部３１の他端部の上部に一列になるように連結しており、それぞれ抱持部３３ａ、抱持部３３ｂ、抱持部３３ｃ、抱持部３３ｄとする。抱持部３２と抱持部３３とは対向するようにして夫々が相似形になるように形成させるのが好ましい。
【実施例１】
【００３６】  図１と図２に示すように、まず、計量補助具３０は載置台１５の端部に挿着部３４と挿着部３５を介して差し込まれることで載置台１５に装着される。次に、抱持部３２ａと抱持部３３ａ、または抱持部３２ｂと抱持部３３ｂ、または抱持部３２ｃと抱持部３３ｃ、または抱持部３２ｄと抱持部３３ｄに、使用者が乾麺類Ｍの容器から１００グラムから１２０グラムと見当をつけて片手で掴んだ乾麺類Ｍを載置すると、台はかり本体１１の内部の荷重検出手段が指針１３を回動させ、指針１３は１１０グラムの指示位置を示した。使用者は台はかり本体１１の正面から指針１３が示した計量データを読み取り、乾麺類Ｍの容器から１０グラム分追加して指針１３が１２０グラムを示すまで、この動作を繰り返した。使用者はこの日の作業が終了すると、計量補助具３０は載置台１５から取り外され、水洗いされた後に乾燥させ、所定の収納場所に収納された。
【実施例２】
【００３７】  図１と図３に示すように、まず、計量補助具３０は載置台２４の端部に挿着部３４と挿着部３５を介して差し込まれることで載置台２４に装着される。次に、抱持部３２ａと抱持部３３ａ、または抱持部３２ｂと抱持部３３ｂ、または抱持部３２ｃと抱持部３３ｃ、または抱持部３２ｄと抱持部３３ｄに、使用者が乾麺類Ｍの容器から２００グラムと見当をつけて片手で掴んだ乾麺類Ｍを載置すると、台はかり本体２１の内部の荷重検出手段が計量データを計量データ表示部２２に送出し２１０グラムと表示したので、使用者が台はかり本体２１の正面から計量データ表示部２２が示した計量データを読み取り、乾麺類Ｍの容器に１０グラム分返すことで、この計量作業は終了した。使用者はこの軽量作業が終了した後に、計量補助具３０は載置台２４から取り外され、水洗いされた後に乾燥させ、所定の収納場所に収納された。そして、このデジタル表示方式台はかり２０は乾麺類Ｍ以外の計量作業に用いられた。【００４０】  上記実施の形態の説明は、本考案を説明するためのものであって、実用新案登録請求の範囲に記載の考案を限定し、或は範囲を減縮するものではない。また、本考案の各部構成は上記実施の形態に限らず、実用新案登録請求の範囲に記載の技術的範囲内で種々の変形が可能である。
【産業上の利用可能性】
【００４１】  本考案の台はかり用の計量補助具は、本明細書に記述した線状食品または棒状食品や、本明細書に記述した長尺物の食品以外の、長尺物、例えば、木製の棒状体や金属製のワイヤー、長尺のパーツ類の計量に応用することが可能なので産業上の利用可能性は高いと判断できる。
【図面の簡単な説明】
【００４２】
【図１】本考案の実施の形態例を示す斜視図である。
【図２】本考案の実施の形態例を示す概略説明図である。
【図３】本考案の実施の形態例を示す概略説明図である。
【符号の説明】
【００４３】  Ｍ・・乾麺類
１０・・アナログ表示方式台はかり
１１・・台はかり本体
１２・・計量データ目盛板
１３・・指針
１４・・載置台支持棒
１５・・載置台
２０・・デジタル表示方式台はかり
２１・・台はかり本体
２２・・計量データ表示部
２３・・載置台支持部
２４・・載置台２４
３０・・計量補助具
３１・・補助具基部
３２・・抱持部
３２ａ，３２ｂ，３２ｃ，３２ｄ・・抱持部
３３・・抱持部
３３ａ，３３ｂ，３３ｃ，３３ｄ・・抱持部
３４・・挿着部
３５・・挿着部
【図１】
0003155638.tif 000003
【図２】
0003155638.tif 000004
【図３】
0003155638.tif 000005